(57)【要約】【課題】片開きパンツ型のおむつにおいて、着用者の胴回りにフィットさせやすくする。【解決手段】前胴回り部（３０）と、後胴回り部（２０）と、吸収性本体（１０）と、を備えた片開きパンツ型のおむつ（１）であって、後胴回り部（２０）は、横方向に沿った糸ゴム（２３）を有しており、後胴回り部（２０）の一方側の端部と、前胴回り部（３０）の一方側の端部とは、第１接合部（１ｂ）によって接合されており、後胴回り部（２０）の他方側の端部は、着用時に前胴回り部（３０）に係止可能な係止部（４１）を有する係止部材（４０）と第２接合部（２ｂ）によって接合されており、第２接合部（２ｂ）では、後胴回り部（２０）の他方側の端部と係止部材（４０）とが、肌側面同士が接合されて非肌側に突出しており、係止部材（４０）は、短部（４０２）を第２接合部（２ｂ）よりも他方側に有し、長部（４０３）を短部（４０２）よりも他方側に有している。【選択図】図５
2018064790.tif 000002
【特許請求の範囲】
【請求項１】
横方向と、前記横方向と交差する縦方向と、前記横方向及び前記縦方向と交差する前後方向と、を有し、
前記横方向に沿った前胴回り部と、
前記横方向に沿った後胴回り部と、
前記前胴回り部と前記後胴回り部との間に設けられた股下部と、
を備えた吸収性物品であって、
前記後胴回り部は、前記横方向に沿った弾性部材を有しており、
前記横方向における前記後胴回り部の一方側の端部と、前記横方向における前記前胴回り部の前記一方側の端部とは、第１接合部によって接合されており、
前記横方向における前記後胴回り部の他方側の端部は、着用時に前記前胴回り部に係止可能な係止部を有する係止部材と、前記縦方向に沿って所定の長さを有する第２接合部によって接合されており、
前記第２接合部では、前記横方向における前記後胴回り部の前記他方側の端部と前記係止部材とが、着用者の肌側に面する肌側面同士が接合されて前記着用者の非肌側に突出しており、
前記係止部材は、前記縦方向において前記第２接合部よりも長さが短い短部を前記横方向における前記第２接合部よりも前記他方側に有し、前記縦方向において前記短部よりも長さが長い長部を前記横方向における前記短部よりも前記他方側に有している
ことを特徴とする吸収性物品。
【請求項２】
請求項１に記載の吸収性物品であって、
前記後胴回り部を前記横方向に伸長させた状態において、
前記後胴回り部は、前記横方向における前記股下部の中心の位置から前記第２接合部の前記一方側の端までの距離が、前記横方向における前記股下部の中心の位置から前記第１接合部の前記他方側の端までの距離よりも長い
ことを特徴とする吸収性物品。
【請求項３】
請求項１又は２に記載の吸収性物品であって、
前記係止部は、前記横方向において、前記短部のうち前記縦方向の長さが最も短い最短位置よりも前記他方側に少なくとも一部を有し、
前記係止部の前記縦方向の長さは、前記最短位置の前記縦方向の長さよりも短い
ことを特徴とする吸収性物品。
【請求項４】
請求項１〜３のいずれかに記載の吸収性物品であって、
前記係止部材は、少なくとも上端から前記縦方向に所定の長さを有する上端領域における剛性が、前記前胴回り部の前記縦方向の上端部の剛性と同じである
ことを特徴とする吸収性物品。
【請求項５】
請求項１〜４のいずれかに記載の吸収性物品であって、
前記前胴回り部は、前記横方向における前記股下部の中心の位置よりも前記他方側では伸縮性を有していない
ことを特徴とする吸収性物品。
【請求項６】
請求項５に記載の吸収性物品であって、
前記前胴回り部は、前記横方向における前記股下部の中心の位置よりも前記他方側に、前記係止部を係止するためのターゲット領域の少なくとも一部を有している
ことを特徴とする吸収性物品。
【請求項７】
請求項６に記載の吸収性物品であって、
液体を吸収する吸収体を有し、
前記ターゲット領域は、厚さ方向において前記吸収体と重複する部分を有する
ことを特徴とする吸収性物品。
【請求項８】
請求項１〜７のいずれかに記載の吸収性物品であって、
前記前胴回り部は、下側へ向かって窪んだ凹部を、前記縦方向の上端部かつ前記横方向の中央部に有し、
前記係止部材の前記短部の上端は、下側へ向かって窪んでいる
ことを特徴とする吸収性物品。
【請求項９】
請求項１〜８いずれかに記載の吸収性物品であって、
前記係止部材は、不織布で形成された基部に前記係止部が接合されて構成されており、
前記基部において、前記横方向に沿った繊維の単位面積当たりに占める割合が前記縦方向に沿った繊維の単位面積当たりに占める割合よりも大きい
ことを特徴とする吸収性物品。
【請求項１０】
請求項１〜９のいずれかに記載の吸収性物品であって、
前記横方向における前記係止部材の前記他方側の端は、円弧状に形成されている
ことを特徴とする吸収性物品。
【請求項１１】
請求項１〜１０のいずれかに記載の吸収性物品であって、
前記第２接合部は、前記係止部材の前記縦方向における上端から下端に亘って設けられている
ことを特徴とする吸収性物品。
【発明の詳細な説明】
【技術分野】
【０００１】
本発明は、吸収性物品に関する。
【背景技術】
【０００２】
従来、排泄物を吸収する吸収性物品として、例えば、特許文献１には、幅方向の一方側において、前胴回り部（前身頃）の側部と後胴回り部（後身頃）の側部とが接合され、幅方向の他方側において、前胴回り部と後胴回り部とが接合されていない、いわゆる片開きパンツ型のおむつが開示されている。
【０００３】
この片開きパンツ型のおむつは、前胴回り部と後胴回り部とが接合されていないオープン側において、後胴回り部の幅方向の他方側の側部から突出した係止部材（ファスニングテープ）に備えられた係止部（止着手段）を前胴回り部に係止させて使用する。
【先行技術文献】
【特許文献】
【０００４】
【特許文献１】特開２００８−１０４８７４号公報
【発明の概要】
【発明が解決しようとする課題】
【０００５】
しかしながら、特許文献１に記載の片開きパンツ型のおむつでは、係止部材の縦方向（上下方向）の長さが横方向（幅方向）全体に亘って略一定であるため、係止部材の角を掴んで斜めに引っ張ってしまうおそれがある。この場合、係止部が傾斜した状態で前胴回り部に係止される可能性があり、おむつを着用者の胴回りにフィットさせにくい。
【０００６】
本発明は、上記のような問題に鑑みてなされたものであって、その目的とするところは、片開きパンツ型のおむつにおいて、着用者の胴回りにフィットさせやすくすることにある。
【課題を解決するための手段】
【０００７】
上記目的を達成するための主たる発明は、横方向と、前記横方向と交差する縦方向と、前記横方向及び前記縦方向と交差する前後方向と、を有し、前記横方向に沿った前胴回り部と、前記横方向に沿った後胴回り部と、前記前胴回り部と前記後胴回り部との間に設けられた股下部と、を備えた吸収性物品であって、前記後胴回り部は、前記横方向に沿った弾性部材を有しており、前記横方向における前記後胴回り部の一方側の端部と、前記横方向における前記前胴回り部の前記一方側の端部とは、第１接合部によって接合されており、前記横方向における前記後胴回り部の他方側の端部は、着用時に前記前胴回り部に係止可能な係止部を有する係止部材と、前記縦方向に沿って所定の長さを有する第２接合部によって接合されており、前記第２接合部では、前記横方向における前記後胴回り部の前記他方側の端部と前記係止部材とが、着用者の肌側に面する肌側面同士が接合されて前記着用者の非肌側に突出しており、前記係止部材は、前記縦方向において前記第２接合部よりも長さが短い短部を前記横方向における前記第２接合部よりも前記他方側に有し、前記縦方向において前記短部よりも長さが長い長部を前記横方向における前記短部よりも前記他方側に有していることを特徴とする吸収性物品である。本発明の他の特徴については、本明細書及び添付図面の記載により明らかにする。
【発明の効果】
【０００８】
本発明によれば、片開きパンツ型のおむつにおいて、着用者の胴回りにフィットさせやすくすることができる。
【図面の簡単な説明】
【０００９】
【図１】本発明の実施形態に係るおむつの一構成例を示す概略斜視図である。
【図２】展開かつ伸長状態のおむつを着用者の肌側から見た概略平面図である。
【図３】図３Ａは図２のIIIＡ−IIIＡ線断面模式図、図３Ｂは図２のIIIＢ−IIIＢ線断面模式図、図３Ｃは図２のIIIＣ−IIIＣ線断面模式図である。
【図４】図４Ａは係止部材の平面図、図４Ｂは図４ＡのＡ部拡大模式図、図４Ｃは第２接合部周辺の断面模式図である。
【図５】図５Ａはおむつのオープン状態を示す図、図５Ｂは係止部材を指で掴んだ様子を説明する説明図、図５Ｃはおむつの着用状態を示す図である。
【図６】図６Ａは比較例に係るおむつのオープン状態を示す図、図６Ｂは比較例に係るおむつの係止部材を指で掴んだ様子を説明する説明図、図６Ｃは比較例に係るおむつの着用状態を示す図である。
【発明を実施するための形態】
【００１０】
本明細書及び添付図面の記載により、少なくとも以下の事項が明らかとなる。
【００１１】
横方向と、前記横方向と交差する縦方向と、前記横方向及び前記縦方向と交差する前後方向と、を有し、前記横方向に沿った前胴回り部と、前記横方向に沿った後胴回り部と、前記前胴回り部と前記後胴回り部との間に設けられた股下部と、を備えた吸収性物品であって、前記後胴回り部は、前記横方向に沿った弾性部材を有しており、前記横方向における前記後胴回り部の一方側の端部と、前記横方向における前記前胴回り部の前記一方側の端部とは、第１接合部によって接合されており、前記横方向における前記後胴回り部の他方側の端部は、着用時に前記前胴回り部に係止可能な係止部を有する係止部材と、前記縦方向に沿って所定の長さを有する第２接合部によって接合されており、前記第２接合部では、前記横方向における前記後胴回り部の前記他方側の端部と前記係止部材とが、着用者の肌側に面する肌側面同士が接合されて前記着用者の非肌側に突出しており、前記係止部材は、前記縦方向において前記第２接合部よりも長さが短い短部を前記横方向における前記第２接合部よりも前記他方側に有し、前記縦方向において前記短部よりも長さが長い長部を前記横方向における前記短部よりも前記他方側に有している吸収性物品が明らかとなる。
【００１２】
このような吸収性物品によれば、横方向における後胴回り部の他方側の端部と係止部材との接合部（第２接合部）が非肌側（おむつの外部側）に向かって突出するように形成されているため、係止部材が着用者の肌側（おむつの内部側）に向かって折れやすくなる。したがって、オープン状態から係止状態にする際に、指で係止部材を掴みやすく、さらに着用者の胴回りに沿わせながら前側に向かって係止部材を返しやすい。さらに、係止部材が短部及び長部を有しているため、係止部材を掴む際には係止部材の縦方向中央を掴みやすくなると共に、係止部材を横方向に引っ張る力が縦方向において均一に掛かりやすくなる。これにより、係止部材や後胴回り部の横方向における他方側の領域が横方向に対して傾斜した状態で係止されにくく、おむつを着用者の胴回りにフィットさせやすくなる。
【００１３】
かかる吸収性物品であって、前記後胴回り部を前記横方向に伸長させた状態において、前記後胴回り部は、前記横方向における前記股下部の中心の位置から前記第２接合部の前記一方側の端までの距離が、前記横方向における前記股下部の中心の位置から前記第１接合部の前記他方側の端までの距離よりも長いことが望ましい。
【００１４】
このような吸収性物品によれば、後胴回り部は、横方向における股下部の中心位置から他方側（係止部材側）の端までの距離が、横方向における股下部の中心位置から一方側の端までの距離よりも長いため、係止部を前胴回り部に係止させる際、着用者の身体の前側まで係止部材を回しやすく、身体の前寄りで係止部を係止させることができる。これにより、おむつの横方向における他方側（オープン側）においても、着用者の胴回りをしっかりと覆った状態でフィットさせることができる。
【００１５】
かかる吸収性物品であって、前記係止部は、前記横方向において、前記短部のうち前記縦方向の長さが最も短い最短位置よりも前記他方側に少なくとも一部を有し、前記係止部の前記縦方向の長さは、前記最短位置の前記縦方向の長さよりも短いことが望ましい。
【００１６】
このような吸収性物品によれば、係止部材を指で掴む部分の近くに係止部が配置されるため、係止部を前胴回り部の所定の領域（ターゲット領域）に正確に係止させやすく、また係止部の縦方向の長さを係止部材の最短位置の縦方向の長さよりも短くすることで係止部に力が集中しやすくなり、係止部を容易に前胴回り部に係止させることができる。
【００１７】
かかる吸収性物品であって、前記係止部材は、少なくとも上端から前記縦方向に所定の長さを有する上端領域における剛性が、前記前胴回り部の前記縦方向の上端部の剛性と同じであることが望ましい。
【００１８】
このような吸収性物品によれば、係止部材の上側領域の剛性と前胴回り部の上端部の剛性とを同じにすることにより、着用者がおむつを着用した状態で前かがみになる等した場合であっても、係止部材が肌に当たって違和感を覚えるといった事態を抑制することができ、装着感が良好になる。
【００１９】
かかる吸収性物品であって、前記前胴回り部は、前記横方向における前記股下部の中心の位置よりも前記他方側では伸縮性を有していないことが望ましい。
【００２０】
このような吸収性物品によれば、着用時において、横方向における前胴回り部の他方側の領域は、係止部材や後胴回り部の他方側と厚さ方向に重なる部分である。当該部分が伸縮性を有していないことにより、後胴回り部に設けられた弾性部材の弾性力によって当該部分が着用者の肌に押し付けられた際に、肌との間に隙間を生じにくく面でフィットさせることができる。
【００２１】
かかる吸収性物品であって、前記前胴回り部は、前記横方向における前記股下部の中心の位置よりも前記他方側に、前記係止部を係止するためのターゲット領域の少なくとも一部を有していることが望ましい。
【００２２】
このような吸収性物品によれば、ターゲット領域の少なくとも一部は伸縮性を有していないため、凹凸のない平らな面に係止部を係止させることができ、着用時において係止部がターゲット領域から外れにくくなる。
【００２３】
かかる吸収性物品であって、液体を吸収する吸収体を有し、前記ターゲット領域は、厚さ方向において前記吸収体と重複する部分を有することが望ましい。
【００２４】
このような吸収性物品によれば、ターゲット領域が剛性を有する吸収体と厚さ方向に重なることにより、係止部が係止される土台がしっかりするため、着用時において係止部がターゲット領域からより外れにくくなる。
【００２５】
かかる吸収性物品であって、前記前胴回り部は、下側へ向かって窪んだ凹部を、前記縦方向の上端部かつ前記横方向の中央部に有し、前記係止部材の前記短部の上端は、下側へ向かって窪んでいることが望ましい。
【００２６】
このような吸収性物品によれば、前胴回り部の凹部の下側に係止部材が位置するように係止部が前胴回り部に係止された場合、係止部材の短部の上端が前胴回り部の凹部の縁に沿いやすくなるため、係止部材が着用者のお臍に接触しにくく、着用時の違和感を低減することができる。
【００２７】
かかる吸収性物品であって、前記係止部材は、不織布で形成された基部に前記係止部が接合されて構成されており、前記基部において、前記横方向に沿った繊維の単位面積当たりに占める割合が前記縦方向に沿った繊維の単位面積当たりに占める割合よりも大きいことが望ましい。
【００２８】
このような吸収性物品によれば、係止部材の基部において、係止部材を引っ張る方向である横方向に沿った繊維の単位面積当たりに占める割合が縦方向に沿った繊維の当該割合よりも大きいため、係止部材を引っ張る力が横方向に伝わりやすく、また、横方向の引張に対してシート部材の強度が高いため、横方向に強く引っ張ったとしても係止部材が破れにくい。これにより、係止部を容易に前胴回り部に係止させることができる。
【００２９】
かかる吸収性物品であって、前記横方向における前記係止部材の前記他方側の端は、円弧状に形成されていることが望ましい。
【００３０】
このような吸収性物品によれば、係止部材の先端が円弧状に丸みを帯びているため、角で着用者の肌を傷つけにくく、また見た目の印象においても装着させる者や着用者等に対して安心感を与えることができる。
【００３１】
かかる吸収性物品であって、前記第２接合部は、前記係止部材の前記縦方向における上端から下端に亘って設けられていることが望ましい。
【００３２】
このような吸収性物品によれば、係止部材が縦方向全体に亘って後胴回り部にしっかりと接合されているため、係止部材を引っ張った際に当該接合部分が裂けて破損してしまうことを抑制することができる。
【００３３】
＝＝＝実施形態＝＝＝
本発明の実施形態に係る吸収性物品の一例として、主に新生児や乳幼児等を着用対象とした片開きパンツ型の使い捨ておむつ１（以下では、単に「おむつ１」とする）について説明する。
【００３４】
＜おむつ１の全体構成＞
まず、おむつ１の全体構成について、図１、図２、図３Ａ〜Ｃ、及び図４Ａ〜Ｃを参照して説明する。
【００３５】
図１は、実施形態に係るおむつ１の一構成例を示す概略斜視図である。図２は、展開かつ伸長状態のおむつ１を着用者の肌側から見た概略平面図である。図３Ａは図２のIIIＡ−IIIＡ線断面模式図、図３Ｂは図２のIIIＢ−IIIＢ線断面模式図、図３Ｃは図２のIIIＣ−IIIＣ線断面模式図である。図４Ａは係止部材４０の平面図、図４Ｂは図４ＡのＡ部拡大模式図、図４Ｃは第２接合部２ｂ周辺の断面模式図である。
【００３６】
このおむつ１は、図１に示すように、「縦方向」と、縦方向と交差する「横方向」と、縦方向及び横方向と交差する「前後方向」と、を有する。縦方向のうち、着用者の胴側を「上側」とし、着用者の股下側を「下側」とする。前後方向のうち、着用者の腹側となる側を「前側」とし、着用者の背側となる側を「後側」とする。また、着用者がおむつ１を着用した状態において、着用者の肌と接触する側を厚さ方向の「肌側」とし、その反対側を厚さ方向の「非肌側」とする（図３Ａ〜Ｃ及び図４Ｃ参照）。なお、以下では、図の横方向の左側を「一方側」とし、右側を「他方側」として説明を行う（図２及び図４Ａ〜Ｃ参照）。
【００３７】
おむつ１は、尿等の排泄物を吸収する吸収性本体１０と、着用者の背側に配置される後胴回り部２０と、着用者の腹側に配置される前胴回り部３０と、を備える。図２に示すように、おむつ１を展開して伸長させた状態において、吸収性本体１０は、前胴回り部３０と後胴回り部２０との間に架け渡されるように設けられており、長手方向の一端部が前胴回り部３０に、長手方向の他端部が後胴回り部２０に、それぞれ接合されている。この吸収性本体１０は、おむつ１の着用時において着用者の股下に配置される股下部の一態様である。
【００３８】
ここで、おむつ１の「伸長状態」とは、おむつ１が備える各弾性部材（例えば糸ゴム等）を伸長させることにより、おむつ１全体（製品全体）を皺なく伸長させた状態、具体的には、おむつ１を構成する各部材（例えば、前胴回り部３０及び後胴回り部２０や吸収性本体１０を構成するシート部材等）の寸法がその部材単体の寸法と一致又はそれに近い寸法になるまで伸長させた状態のことをいう。
【００３９】
おむつ１は、図２に示す展開状態から、吸収性本体１０の長手方向における所定位置（例えば、長手方向の中央位置）を折り畳み位置として二つ折りされる。当該二つ折りの状態において、横方向における後胴回り部２０の一方側の端部と、横方向における前胴回り部３０の一方側の端部とが、第１接合部１ｂによって接合される。これにより、横方向における一方側の脚回り開口部１ＨＬが形成される（図１参照）。
【００４０】
一方、横方向における後胴回り部２０の他方側の端部と、横方向における前胴回り部３０の他方側の端部とは、接合されずに開いている。横方向における後胴回り部２０の他方側の端部は、おむつ１の着用時に前胴回り部３０に係止可能な係止部４１を有する係止部材４０と第２接合部２ｂによって接合されている。そして、おむつ１を着用する際には、この係止部材４０を前側に回して係止部４１を前胴回り部３０に係止させる。これにより、横方向における他方側の脚回り開口部１ＨＬが形成されると共に、後胴回り部２０と前胴回り部３０とが環状につながって胴回り開口部１ＨＢが形成される（図１参照）。
【００４１】
したがって、おむつ１は、横方向における一方側では後胴回り部２０と前胴回り部３０とが第１接合部１ｂによって接合されて閉じられており、横方向における他方側では両者が接合されずに開いている、いわゆる「片開き型のおむつ」である。図１に示すように、おむつ１において、他方側が開いている状態を「オープン状態」とし、後胴回り部２０と前胴回り部３０とが接合されずに開いている側（他方側）を「オープン側」とも呼ぶ。なお、以下の説明において、横方向における一方側を単に「一方側」とし、横方向における他方側を単に「他方側」とする。
【００４２】
（吸収性本体１０）
吸収性本体１０は、図３Ｂ及び図３Ｃに示すように、液体を吸収して保持する吸収体１１と、吸収体１１を厚さ方向の肌側から覆いつつ尿等の排泄物を透過させる液透過性の表面シート１２と、吸収体１１を非肌側から覆いつつ非肌側からの液体の漏れを防ぐ液不透過性の裏面シート１３と、を有する。吸収体１１は、パルプ繊維等の液体吸収性繊維を平面視略砂時計形状等の所定形状に成形したものであり（図２において破線で示す）、その内部には高吸収性ポリマーが混入されている。
【００４３】
また、横漏れの防止や脚回りのフィット性を良好にするため、横方向における吸収性本体１０の両側部には、当該吸収性本体１０の長手方向に沿って伸縮する脚回り弾性部材（いわゆるレッグギャザー）がそれぞれ設けられているが、説明の便宜上、図２等では図示を省略している。なお、図２において一点鎖線で示す横方向における中心線ＡＣは、吸収性本体１０の横方向における中心である。
【００４４】
（後胴回り部２０）
後胴回り部２０は、図３Ｃに示すように、厚さ方向の肌側に位置する肌側部材２１と、非肌側に位置する非肌側部材２２と、肌側部材２１と非肌側部材２２との間に配置された複数の糸ゴム２３と、を有する。
【００４５】
肌側部材２１と非肌側部材２２とは、それぞれ不織布等の柔軟なシート部材である。本実施形態では、非肌側部材２２は、上端部が肌側に向かって折り返されており、肌側部材２１の上端部及び吸収性本体１０の上端部を覆っている。
【００４６】
糸ゴム２３は、後胴回り部２０に対して横方向の伸縮性を付与する弾性部材であり、胴回りのフィット性を向上させている。図２及び図３Ｃに示すように、複数の糸ゴム２３は、縦方向に所定の間隔を空けて並んでおり、横方向に伸長された状態で接着剤等により肌側部材２１と非肌側部材２２との間で接合されている。このとき、少なくとも横方向の中央領域（中心線ＡＣを挟んで横方向に所定の幅を有する領域）において、糸ゴム２３と吸収体１１とが重複しないようにすると良い。このようにすれば、吸収体１１の中央領域に対して糸ゴム２３による収縮力が作用しにくくなり、吸収体１１が横方向に過度に収縮することを抑制しやすくなる。本実施形態では、後胴回り部２０のうち吸収体１１と厚さ方向に重なる領域には糸ゴム２３は配置されておらず、糸ゴム２３の収縮力によって吸収体１１の全体が横方向に収縮してしまうことが抑制される。
【００４７】
図２に示すように、後胴回り部２０の一方側の端部には、前胴回り部３０の一方側の端部と接合されて第１接合部１ｂを形成する第１接合領域２０１が設けられ、後胴回り部２０の他方側の端部には、係止部材４０と接合されて第２接合部２ｂを形成する第２接合領域２０２が設けられている。第１接合部１ｂ及び第２接合部２ｂは、例えば熱溶着や超音波溶着等の接合手段を用いて形成される。後胴回り部２０の第１接合領域２０１及び第２接合領域２０２はそれぞれ、縦方向に沿って所定の長さを有しており、縦方向に細長い領域である。
【００４８】
後胴回り部２０の下端部（縦方向において第１接合領域２０１及び第２接合領域２０２より下側の部分）では、横方向の一方側に、一方側の横端から横方向の内側（吸収性本体１０が配置された側）に向かって斜め下方に傾斜する第１傾斜部２０Ｌを有し、横方向の他方側に、他方側の横端から横方向の内側に向かって前胴回り部３０の下端と略平行に形成された直線部２０Ｓと、直線部２０Ｓから横方向の内側に向かって斜め下方に傾斜する第２傾斜部２０Ｒと、を有している。第１傾斜部２０Ｌと第２傾斜部２０Ｒとは、吸収性本体１０の中心線ＡＣを中心として左右線対称に形成されている。
【００４９】
このように、後胴回り部２０が前胴回り部３０の下端と略平行に形成された直線部２０Ｓを有することにより、おむつ１の着用状態、具体的には、係止部４１を前胴回り部３０に係止した状態において、前胴回り部３０の下端と後胴回り部２０の直線部２０Ｓとを揃えることができるため、着用時においておむつ１の見栄えが良くなる。
【００５０】
図２において、一点鎖線で示す横方向の中心線ＢＣは、後胴回り部２０の横方向の中心を示す中心線ＲＣと同じ位置であり、着用者が一方の脚を脚回り開口部１ＨＬに通した状態において、当該中心線ＢＣが着用者の身体の中心位置に揃いやすくなっている。そして、この中心線ＢＣ（ＲＣ）の横方向における位置は、吸収性本体１０の中心線ＡＣの位置よりも他方側（図２の右側）に距離ｄだけずれている。このように、横方向において吸収性本体１０の中心と後胴回り部２０の中心とをずらすことにより、おむつ１を着用させる際に後胴回り部２０の他方側の端部に設けられた係止部材４０を横方向に引っ張った場合に、吸収性本体１０の中心と着用者の身体の略中心とが一致しやすくなる。
【００５１】
また、本実施形態では、図２に示すように、後胴回り部２０を横方向に伸長させた状態、すなわち複数の糸ゴム２３が伸縮性を発現していない状態において、後胴回り部２０は、横方向における吸収性本体１０の中心の位置（中心線ＡＣ）から第２接合領域２０２（第２接合部２ｂ）の一方側の端２０２Ｌまでの距離Ｌ２が、横方向における吸収性本体１０の中心の位置（中心線ＡＣ）から第１接合領域２０１（第１接合部１ｂ）の他方側の端２０１Ｒまでの距離Ｌ１よりも長い（Ｌ２＞Ｌ１）。すなわち、後胴回り部２０のうち、吸収性本体１０の中心線ＡＣから係止部材４０が設けられた側（他方側）の領域の方が、中心線ＡＣから第１接合領域２０１が設けられた側（一方側）の領域よりも、横方向における長さが長い。
【００５２】
これにより、おむつ１を着用させる際に係止部材４０を着用者の身体の前側まで回しやすく、着用者の身体の前寄りで係止部４１を前胴回り部３０に係止させることができる。これにより、おむつ１のオープン側においても、着用者の胴回りをしっかりと覆った状態でおむつ１をフィットさせることが可能となる。
【００５３】
（係止部材４０）
係止部材４０は、図４Ａ及び図４Ｃに示すように、係止部４１と、厚さ方向の肌側に位置する肌側部材４２１、及び非肌側に位置する非肌側部材４２２を有する基部４２と、を備えており、基部４２に係止部４１が接合されて構成されている。具体的には、係止部４１は、基部４２の肌側部材４２１の肌側面に接合されている。
【００５４】
係止部４１は、例えばポリプロピレン等で形成され、肌側の面に複数の係止用突起（図略）を備えた面ファスナーである。これら係止用突起を前胴回り部３０に引っ掛けることにより、係止部４１（係止部材４０）が前胴回り部３０に係止される。
【００５５】
基部４２の肌側部材４２１及び非肌側部材４２２はそれぞれ、不織布で形成された柔軟なシート部材である。本実施形態では、図４Ｂに示すように、肌側部材４２１及び非肌側部材４２２（基部４２）を形成する繊維において、横方向に沿った繊維Ｆ１の単位面積当たりに占める割合が、縦方向に沿った繊維Ｆ２の単位面積当たりに占める割合よりも大きい。これにより、おむつ１を装着させる際に係止部材４０（基部４２）を横方向に引っ張った場合において、当該引っ張り力が横方向に伝わりやすくなる。さらに、このような繊維構造によって横方向の引っ張りに対するシート部材の強度が高くなるため、横方向に強く引っ張ったとしても係止部材４０（基部４２）が破れにくい。これにより、おむつ１着用時において係止部材４０を前胴回り部３０側（前方）に回しこむ動作が行いやすくなり、係止部４１を容易に前胴回り部３０に係止させることができる。
【００５６】
基部４２の一方側の端部には、後胴回り部２０の他方側の端部（第２接合領域２０２）と接合して第２接合部２ｂを形成する係止側接合領域４０１が設けられている。本実施形態では、図２及び図４Ａに示すように、係止側接合領域４０１及び後胴回り部２０の第２接合領域２０２はそれぞれ、縦方向に沿って係止部材４０の一方側の端部の上端から下端に亘った長さを有している。すなわち、第２接合部２ｂは、係止部材４０の縦方向における上端から下端に亘って設けられており、係止部材４０が縦方向の全体に亘って後胴回り部２０にしっかりと接合される。そのため、おむつ１を着用者に履かせる際に係止部材４０を引っ張っても、後胴回り部２０と係止部材４０との接合部分が裂けて破損してしまうといった事態を抑制することができる。
【００５７】
図４Ｃに示すように、係止側接合領域４０１は基部４２の肌側部材４２１の肌側面に設けられ、同様にして、後胴回り部２０の第２接合領域２０２は肌側部材２１の肌側面に設けられている。したがって、第２接合部２ｂでは、後胴回り部２０の他方側の端部と係止部材４０とが、着用者の肌側に面する肌側面同士（第２接合領域２０２と係止側接合領域４０１）が接合されて着用者の非肌側に突出している。
【００５８】
係止部材４０は、図４Ａに示すように、縦方向において係止側接合領域４０１（第２接合部２ｂ）よりも長さが短い短部４０２を係止側接合領域４０１よりも他方側に有し、縦方向において短部４０２よりも長さが長い長部４０３を短部４０２よりも他方側に有している。換言すれば、係止部材４０は、短部４０２の一方側に係止側接合領域４０１を、他方側に長部４０３を、それぞれ有しており、係止側接合領域４０１の縦方向の長さ及び長部４０３の縦方向の長さは短部４０２の縦方向の長さよりも長い。
【００５９】
短部４０２は、係止部材４０において、第２接合部２ｂよりも他方側であって、係止部材４０の縦方向の長さが最も短くなる位置である最短位置４０２ａを含み、かつ、第２接合部２ｂよりも長さが短い所定の領域である。したがって、図４Ａに示すように、第２接合部２ｂよりも他方側の領域であっても、最短位置４０２ａを含まない領域４００は短部４０２に含まれない。なお、短部４０２は、図４Ａに示すように、横方向に所定の長さを有する、つまり面積を有する領域であってもよいし、横方向における第２接合部２ｂよりも他方側に位置する最短位置４０２ａでの縦方向に沿った線であってもよい。
【００６０】
長部４０３は、係止部材４０において、短部４０２よりもさらに他方側であって、縦方向において短部４０２よりも長さが長い所定の領域である。したがって、図４Ａに示すように、短部４０２よりも他方側の領域であっても、縦方向の長さが短部４０２よりも短い領域４０４は長部４０３に含まれない。なお、長部４０３は、短部４０２と同様に、図４Ａに示すように、横方向に所定の長さを有する、つまり面積を有する領域であってもよいし、横方向における短部４０２よりも他方側のある位置（点）における縦方向に沿った線であってもよい。なお、長部４０３は、縦方向において短部４０２よりも長さが長ければよいため、必ずしも、図４Ａに示すように、長部４０３の縦方向の長さが第２接合部２ｂの縦方向の長さよりも短い必要はなく、長部４０３の縦方向の長さが第２接合部２ｂの縦方向の長さよりも長くてもよい。
【００６１】
本実施形態では、係止部材４０は、横方向における略中央において、基部４２の上端が下側へ向かって、基部４２の下端が上側へ向かって、それぞれ窪んでいる。すなわち、基部４２は、横方向における略中央において縦方向に括れた部分を有している。当該括れた部分は、一方側から他方側に向かって滑らかに湾曲する弧を描くように形成されているが、括れた部分の形状については特に制限はない。そして、必ずしも係止部材４０は括れた部分を有する必要はなく、少なくとも係止側接合領域４０１の縦方向の長さ及び長部４０３の縦方向の長さよりも縦方向の長さが短い短部４０２を、横方向における係止側接合領域４０１と長部４０３との間に有していればよい。換言すれば、短部４０２は、必ずしも上端及び下端の両端が窪んでいる必要はなく、上端及び下端のうちのいずれか一端が窪むことにより形成されていてもよい。
【００６２】
図４Ａに示すように、係止部４１は、短部４０２のうち縦方向の長さが最も短い最短位置（係止部材４０における最短位置）４０２ａよりも他方側に少なくとも一部を有している。おむつ１を装着させる際には係止部材４０を指で掴むが、通常、指で掴む部分は係止部材４０の他方側の端部（横方向における係止側接合領域４０１と反対側の先端部）となる。したがって、指で掴む部分の近くに係止部４１が配置されるため、前胴回り部３０の所定領域に係止部４１を正確に係止させやすくなる。そして、係止部４１の縦方向の長さＨ１は、最短位置４０２ａにおける縦方向の長さＨ２よりも短い（Ｈ１＜Ｈ２）。すなわち、係止部４１は、縦方向において基部４２よりも小さく形成されている。
【００６３】
基部４２は、横方向における他方側の端が円弧状に形成されている。このように、長部４０３よりも他方側であって係止部材４０の横方向における先端が丸みを帯びた円弧状であるため、角で着用者の肌を傷つけてしまうことを抑制することができると共に、外観上の印象においても、おむつ１を装着させる者や着用者等に対して安心感を与えることができる。
【００６４】
なお、本実施形態では、係止部４１と基部４２とは材質の異なる別部材であり、基部４２に係止部４１を接合させて構成されていたが、これに限らず、例えば係止部４１と基部４２とが一つの部材で一体に形成されていてもよい。
【００６５】
（前胴回り部３０）
前胴回り部３０は、図３Ａ及び図３Ｂに示すように、厚さ方向の肌側に位置する肌側部材３１と、非肌側に位置する非肌側部材３２と、肌側部材３１と非肌側部材３２との間に配置された複数の糸ゴム３３と、を有する。図２に示すように、前胴回り部３０の一方側の端部には、後胴回り部２０の第１接合領域２０１と接合されて第１接合部１ｂを形成する前側接合領域３０１が縦方向に沿って設けられている。
【００６６】
肌側部材３１と非肌側部材３２は、それぞれ不織布等の柔軟なシート部材である。本実施形態では、非肌側部材３２は、上端部が肌側に向かって折り返されており、肌側部材３１の上端部及び吸収性本体１０の上端部を覆っている。
【００６７】
糸ゴム３３は、前胴回り部３０に対して横方向の伸縮性を付与する弾性部材であり、糸ゴム２３と共に胴回りのフィット性を向上させている。図２及び図３Ａに示すように、複数の糸ゴム３３は、縦方向に所定の間隔を空けて並んでおり、横方向に伸長された状態で接着剤等により肌側部材３１と非肌側部材３２との間で接合されている。
【００６８】
複数の糸ゴム３３は、前胴回り部３０のうち、横方向の一方側（図２における左側）の横端から中心線ＡＣよりも横方向の一方側の所定の位置までの間に設けられている。本実施形態では、複数の糸ゴム３３は、一方側の横端から厚さ方向において吸収体１１と重ならない位置までの間に横方向に沿って設けられている。これに対して、前胴回り部３０の横方向の他方側（図２における右側）の横端から中心線ＡＣまでの間には複数の糸ゴム３３が設けられておらず、伸縮性を有していない。なお、前胴回り部３０の横方向の他方側の横端から中心線ＡＣまでの間に複数の糸ゴム３３が配置されている場合があるが、これら複数の糸ゴム３３は伸縮性を発現しないように切断されている。
【００６９】
前胴回り部３０において、横方向における中心線ＡＣから他方側の領域は、おむつ１の着用時において係止部材４０や後胴回り部２０の他方側の領域が厚さ方向に重なる部分である。当該部分が伸縮性を有していないことにより、後胴回り部２０に設けられた複数の糸ゴム２３の弾性力によって当該部分が着用者の肌に押し付けられた際に肌との間に隙間を生じにくく、面でフィットさせることができる。
【００７０】
前胴回り部３０の非肌側の面には、係止部４１と係合可能なターゲット領域３４が設けられている（図２において太い一点鎖線で示す）。当該ターゲット領域３４は、例えば、不織布の表面の繊維をループ状に加工して、係止部４１の係止用突起（フック）を係合させやすくした部材等によって形成される。なお、必ずしもターゲット領域３４と前胴回り部３０とを異なる部材とする必要はなく、前胴回り部３０の非肌側部材３２の一部の領域を加工することによってターゲット領域３４が形成されるのであっても良い。
【００７１】
図２に示すように、本実施形態では、ターゲット領域３４は、横方向における吸収性本体１０の中心の位置（中心線ＡＣ）よりも他方側に少なくとも一部を有している。前述したように、中心線ＡＣよりも他方側では伸縮性を有しておらず、伸縮性を有していない部分をターゲット領域３４が有することにより、凹凸のない平らな面に対して係止部４１を係止させやすくなる。これにより、おむつ１の着用時において、係止部４１がターゲット領域３４から外れにくくなる。
【００７２】
また、本実施形態では、ターゲット領域３４は、厚さ方向において吸収体１１と重複する部分を有しているため、当該重複する部分においては重複していない部分と比べて剛性が高くなる。したがって、係止部４１が係止される土台となるターゲット領域が剛性を有したしっかりしたものとなり、おむつ１の着用時において、係止部４１がターゲット領域３４からより外れにくくなる。
【００７３】
前胴回り部３０は、図１及び図２に示すように、下側へ向かって窪んだ凹部３５を縦方向の上端部かつ横方向の中央部に有している。本実施形態では、凹部３５は円弧状に窪んでいるが、形状について特に制限はない。このように、前胴回り部３０が凹部３５を有することによって、着用者である新生児等の湿潤した臍（へそ）や臍に取り付けられた出血防止等のためのクリップが前胴回り部３０に当たってしまうといった事態を回避することができる。なお、図３Ｂでは、凹部３５が形成されていることによって、肌側部材３１及び非肌側部材３２が取り除かれている部分を二点鎖線で示している。
【００７４】
＜おむつ１の使用態様及び着用状態＞
次に、おむつ１の使用態様及びおむつ１の着用状態について、図５Ａ〜Ｃを参照して説明する。
【００７５】
図５Ａはおむつ１のオープン状態を示す図、図５Ｂは係止部材４０を指で掴んだ様子を説明する説明図、図５Ｃはおむつ１の着用状態を示す図である。
【００７６】
片開きパンツ型のおむつであるおむつ１を着用者（乳幼児等）に着用させる際には、まず、おむつ１の一方側に形成された脚回り開口１ＨＬに着用者の片脚（右脚）を通して、当該片脚の付け根に一方側の脚回り開口部１ＨＬが位置するようにおむつ１を配置する。次に、着用させる者（母親等）が、片方の手で前胴回り部３０の他方側の端部を他方側へ引っ張った状態で押さえる。そして、もう片方の手で係止部材４０を他方側へ引っ張りながら（図５Ａにおいて矢印で示す）前胴回り部３０の前方に回し込み、係止部４１を前胴回り部３０のターゲット領域３４に係止させる。これにより、図５Ｃに示すように、他方側の脚回り開口部１ＨＬが形成されると共に、胴回り開口部１ＨＢが形成されて、おむつ１は着用状態となる。
【００７７】
このような着用方法であれば、一方側の脚回り開口部１ＨＬに着用者の片脚を通した状態で係止部４１をターゲット領域３４に係止させることによりおむつ１を着用状態とすることができるため、例えば着用者である新生児や乳幼児が脚をバタつかせているような場合であっても、容易におむつ１を着用させることが可能である。しかしながら、係止部材４０が掴みづらいような場合には、ターゲット領域３４に対して係止部４１を正確に係止させにくく、おむつ１が着用者の胴回りにフィットしづらくなる可能性がある。
【００７８】
ここで、比較例に係るおむつ９の使用態様及びおむつ９の着用状態について、図６Ａ〜Ｃを参照して説明する。
【００７９】
図６Ａは比較例に係るおむつ９のオープン状態を示す図、図６Ｂは比較例に係るおむつ９の係止部材９０を指で掴んだ様子を説明する説明図、図６Ｃは比較例に係るおむつ９の着用状態を示す図である。
【００８０】
比較例に係るおむつ９は、図６Ｂに示すように、第２接合部９ｂにおいて、後胴回り部２０の他方側の端部と係止部材９０の一方側の端部との接合の仕方が、本実施形態に係るおむつ１と異なる。具体的には、第２接合部９ｂでは、後胴回り部２０の非肌側面に係止部材９０の肌側面が係止されている。したがって、第２接合部９ｂは、後胴回り部２０の非肌側面と同じ面上、あるいは係止部材９０の肌側面と同じ面上に位置している。この場合、図６Ｂに示すように、係止部材９０が第２接合部９ｂを基点として外側（図６Ｂにおいて矢印で示す）に向かって折れ曲がりやすく、おむつ９を着用させる者が指で係止部材９０を掴みづらくなる。
【００８１】
また、図６Ａに示すように、係止部材９０は、基部９２の形状が本実施形態に係るおむつ１の係止部材４０の基部４２の形状と異なる。具体的には、係止部材９０の基部９２は、縦方向の長さが一方側から他方側に亘って略一定に形成されている。すなわち、係止部材９０は、略長方形状の基部９２に係止部９１が接合されて構成されている。そのため、おむつ９を着用させる者は、縦方向における係止部材９０を掴む位置について、意識が向きにくくなる。仮に、おむつ９を着用させる者が係止部材９０を指で掴む際に基部９２の角を掴んでしまった場合には、係止部材９０を斜めに引っ張りながら前胴回り部３０の前方に回し込んでしまうおそれがある。この場合、ターゲット領域３４に対して係止部９１が傾斜した状態で係止され、おむつ９を着用者の胴回りにフィットさせにくくなる可能性がある。
【００８２】
図６Ｂでは、一例として、おむつ９を着用させる者が基部９２の下側の角を指で掴んだ場合について示している。この場合、おむつ９を着用させる者は、係止部材９０を斜め下方に引っ張りながら前胴回り部３０の前方に回し込みやすくなるため、図６Ｃに示すように、横方向に沿った前胴回り部３０に対して係止部材９０及び後胴回り部２０の他方側の端部が斜め下方に傾斜した状態で係止されてしまう。
【００８３】
一方、本実施形態に係るおむつ１では、前述したように、第２接合部２ｂにおいて、後胴回り部２０の他方側の端部と係止部材４０の一方側の端部とが、着用者の肌側に面する肌側面同士が接合されて着用者の非肌側（外側）に突出している。この場合、おむつ１では、係止部材４０の肌側面と後胴回り部２０の肌側面とが対向するように、第２接合部２ｂを基点とした折り癖がつくため、図５Ｂに示すように、係止部材４０は、第２接合部２ｂを基点として内側（図５Ｂにおいて矢印で示す）に向かって折れ曲がりやすくなる。すなわち、図５Ａに示すように、着用者が一方側の脚回り開口部１ＨＬに着用者の片脚を通し、おむつ１がまだオープン状態である場合には、係止部材４０は着用者の肌側に向かって折れ曲がりやすくなる。そのため、おむつ１を着用させる者が前方から係止部材４０を掴みやすくなり、係止部材４０を着用者の胴回りに沿わせながら前胴回り部３０の前方に回し込みやすくなる。
【００８４】
さらに、係止部材４０は、第２接合部２ｂよりも縦方向の長さが短い短部４０２を第２接合部２ｂよりも他方側、すなわち、おむつ１を着用させる者が指で掴む側に有しているため、おむつ１を着用させる者は、縦方向における係止部材４０を掴む位置について、短部４０２の縦方向の長さに意識が向きやすくなる。したがって、図５Ｂに示すように、おむつ１を着用させる者は、係止部材４０の縦方向の中央を指で掴もうとする意識が働きやすくなる。この場合、比較例にかかるおむつ９のように係止部材の角を指で掴んでしまったときと比べて、係止部材４０を引っ張る力が上側や下側に偏らず、縦方向全体に亘って均一にかかりやすくなる。これにより、図５Ｃに示すように、横方向に沿った前胴回り部３０に対して係止部材４０や後胴回り部２０の他方側の端部が傾斜した状態で係止されにくく、ターゲット領域３４に係止部４１を正確に係止させることができ、おむつ１を着用者の胴回りにフィットさせやすくなる。
【００８５】
また、係止部材４０は、短部４０２よりも縦方向の長さが長い長部４０３を短部４０２よりも他方側に有しているため、おむつ１を着用させる者が掴む部分となる横方向の先端側（他方側）の面積が狭くなり過ぎず、おむつ１を着用させる者は係止部材４０を掴みやすい。
【００８６】
本実施形態では、係止部４１の縦方向の長さＨ１が短部４０２の最短位置４０２ａにおける縦方向の長さＨ２よりも短く形成されているため（図４Ａ参照）、係止部材４０（基部４２）を横方向に引っ張った際に、当該引っ張る力が係止部４１に集中しやすくなる。これにより、係止部４１に力が集中していない場合に比べて、係止部４１の細かい位置合わせがしやすくなるため、容易にターゲット領域３４に対して正確に係止部４１を係止させることができる。
【００８７】
また、係止部材４０は、短部４０２（基部４２の略中央部分）の上端が下側へ向かって窪んでおり、図５Ｃに示すように、係止部４１をターゲット領域３４に係止させた状態において、短部４０２の上端が前胴回り部３０の凹部３５の外縁に沿いやすくなる。これにより、おむつ１の着用状態において、着用者のお臍に基部４２（係止部材４０）が接触しにくく、おむつ１の着用時における違和感を低減することができる。
【００８８】
さらに、係止部材４０は、少なくとも上端から縦方向に所定の長さを有する上端領域における剛性が、前胴回り部３０の縦方向の上端部の剛性と同じであることが望ましい。本実施形態では、不織布で形成された基部４２に対して係止部４１はポリプロピレン等の剛性の高い素材で形成されていることから、「係止部材４０の上端領域」は、基部４２のうち、縦方向における係止部４１の上端から基部４２の上端までの領域となる。
【００８９】
このように、少なくとも係止部材４０の上端領域の剛性と前胴回り部３０の上端部の剛性とを同じにすることにより、例えば着用者がおむつ１を着用した状態で前かがみになる等した場合において、もし係止部材４０が着用者の肌に当たったり食い込んだりした場合であっても、着用者が違和感を覚えづらく装着感が良好になる。
【００９０】
＝＝＝その他＝＝＝
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【００９１】
上記の実施形態においては、吸収性物品の一例としていわゆる３ピースタイプの使い捨ておむつ１を例示したが、これに限られない。例えば、後胴回り部と前胴回り部とを股下を介して一体化した外装シートを第１部品、外装シートの肌側面に固定される吸収性本体を第２部品として有する２ピースタイプの使い捨ておむつであっても良い。
【００９２】
上記の実施形態では、ターゲット領域３４は、横方向における一方側の横端が前胴回り部３０の横方向における吸収性本体１０の中心線ＡＣに位置するように設けられていたが、これに限らず、係止部４１の係止位置の許容範囲を満たすように設けられていればターゲット領域３４の大きさ等について特に制限はない。
【００９３】
上記の実施形態では、後胴回り部２０及び前胴回り部３０にそれぞれ、横方向に伸縮可能な複数の糸ゴム２３，３３を弾性部材として設けていたが、これに限らず、例えば横方向に伸縮可能な伸縮性の不織布等を前胴回り部３０や後胴回り部２０を形成する不織布に用いてもよい。
【００９４】
上記の実施形態では、ターゲット領域３４がループを有し、係止部４１がフックを有し、ループにフックが引っ掛かることによってターゲット領域３４に係止部４１を係止させる例について説明されていたが、ターゲット領域３４及び係止部４１の構成は、それぞれ上述の例には限られない。例えば、ターゲット領域３４がフックを有し、係止部４１がループを有する構造であって、ターゲット領域３４のフックに係止部４１のループを係止させる構成であっても良い。また、ターゲット領域３４及び係止部４１の少なくとも一方の表面に粘着性を有する部材が設けられており、当該粘着性の部材を他方の表面に貼付することによって、両者が係止されるのであっても良い。
【００９５】
上記の実施形態においては、中心線ＲＣ、ＢＣの横方向の位置は、中心線ＡＣの横方向の位置よりも横方向の右側（他方側）に距離ｄだけずれていたが、中心線ＲＣ、ＢＣの横方向の位置と中心線ＡＣの横方向の位置とが同じであってもよい。すなわち、後胴回り部２０の横方向の中心の位置と吸収性本体１０の横方向の中心の位置とが同じになるように吸収性本体１０が前胴回り部３０と後胴回り部２０との間に架け渡されていてもよい。
【符号の説明】
【００９６】
１…おむつ（吸収性物品）
１ｂ…第１接合部
２ｂ…第２接合部
１０…吸収性本体（股下部）
１１…吸収体
２０…後胴回り部
２３…弾性部材
３０…前胴回り部
３４…ターゲット領域
３５…凹部
４０…係止部材
４１…係止部
４２…基部
４０２…短部
４０２ａ…最短位置
４０３…長部
Ｆ１…横方向に沿った繊維
Ｆ２…縦方向に沿った繊維
【図１】
2018064790.tif 000003
【図２】
2018064790.tif 000004
【図３】
2018064790.tif 000005
【図４】
2018064790.tif 000006
【図５】
2018064790.tif 000007
【図６】
2018064790.tif 000008